(57)【要約】【課題】  フロント部の両側に折畳み可能に取付けられるツルであって、運動する際に掛けてもメガネが位置ズレすることのないメガネフレームのツルの提供。【解決手段】  ツル４の先端には耳の外輪又は外輪内側にある窪みに係合するパット６等の係合部を備え、該ツル４は長さ調整部８を有し、又ツル先端にはツルに沿ってスライドするアーム７を取付けると共に正面側へ働くバネ力が付勢され、そしてアーム先端に上記パット６を取付けている。【選択図】    図１
2007286473.tif 000002
【特許請求の範囲】
【請求項１】
フロント部の両側に折畳み可能に取付けられるツルにおいて、該ツルの先端には耳の外輪又は外輪内側にある窪みに係合するパット等の係合部を備えたアームを取付け、ツルは長さ調整部を有し、そして上記アームはツルに沿ってスライドすると共に正面側へバネ力を付勢したことを特徴とするメガネフレームのツル。
【請求項２】
上記アームは回転揺動可能に取付けられた請求項１記載のメガネフレームのツル。
【請求項３】
上記アームの形状を概略Ｌ形とし、その先端に係合部を取付けた請求項１、又は請求項２記載のメガネフレームのツル。
【請求項４】
フロント部の両側に折畳み可能に取付けられるツルにおいて、該ツル先端部を内側へ屈曲又は湾曲すると共に、屈曲部先端には引き寄せられる方向にバネ力を付勢してアームを回転可能に取付け、そして該アームには耳の外輪又は外輪内側にある窪みに係合するパット等の係合部を備え、該ツルは長さ調整部を有したことを特徴とするメガネフレームのツル。
【発明の詳細な説明】
【技術分野】
【０００１】
本発明はメガネを顔に掛ける場合に、フロント部は鼻当てパットを介して鼻で支持され、またフロント部から延びるツルは耳に掛けられるが、本発明は耳外輪内側にある窪みに係合することが出来るメガネフレームのツルに関するものである。
【背景技術】
【０００２】
メガネはフロント部と該フロント部の両側に取付けられているツルから成り、該ツルは蝶番等の継手を介して折畳むことが出来る。フロント部の形態は色々あって、一般的には、両リムを連結部材にて連結すると共にリム外側にはヨロイをロウ付けして構成している。又、リムとして上側半分のハーフリムを使用し、レンズ下側は水糸にて保持するタイプのフロント部もある。更には、リムを用いることなく両レンズを連結部材の両側に直接ネジ止めすると共に、レンズ外側にはヨロイを直接ネジ止めして構成する縁なしメガネも多用されている。
【０００３】
そして、これら各フロント部には鼻の甲に当たって支持される鼻当てパットが取付けられ、フロント部の両側から延びるツルは顔側面から耳に達し、ツル先端部に挿着している概略Ｌ形のモダンが耳に係止することが出来るように成っている。このように、メガネはフロント部とツルとで顔に安定して掛けることが出来る。
【０００４】
顔に掛けたメガネが位置ズレしないように、勿論、顔から外れないように色々な工夫が成され、鼻の甲に当ってフロント部が支持される鼻当てパットの材質として柔らかいシリコン樹脂を使用して、滑らないように又肌当りを良好ならしめている。又モダンの内側にもシリコン樹脂層を設けたり、細かい凹凸面とするなどの工夫が行なわれている。しかし、メガネを掛けて運動する場合、運動の程度にもよるが、メガネは位置ズレしてしまい、時には顔から外れ落ちる。
【０００５】
一方、新聞や雑誌を読む際に一時的に掛ける老眼鏡の場合、フロント部をコンパクトにしたメガネが好まれる場合が多い。これは、携帯が便利な為でもあり、又新聞、雑誌を一時的に読む際に大きなレンズをフロント部に嵌める必要性も少ない。このように、フロント部のサイズを小さくしても、該フロント部から耳に係止するように延びるツルの長さを短くすることは出来ず、従来のメガネフレームの形態では、メガネ全体としてのサイズをコンパクト化することは不可能である。
【０００６】
そこで、ツルを短くして先端にパットを取付けたツル形態が知られ、該パットは耳外輪の窪みに係合することが出来る。従って、ツルを折畳んだ際には全体が非常にコンパクト化して携帯に便利である。このような短いツルを備えたメガネとして、例えば実開平４−５０８１８号に係る「眼鏡のつる」が知られている。該ツルの自由端部には人体の耳凹所に係合し得る係合部が形成されている。
【０００７】
しかし、人の耳の形状は千差万別であり、ツルの自由先端部に係合部を形成しても、該係合部が耳外輪内の窪み(凹所)に係合し難い場合が多い。無理に係合すれば痛みを感じ、時には外れ落ちる場合もある。同公報にはツル全体をスプリングで構成している具体例も説明されているが、スプリングから成るツルでは全体が撓み変形して、窪みに係合する際の係合圧が小さ過ぎてメガネを掛けた際のフィット感が得られなく、メガネが外れ易い。
【０００８】
そこで、出願人は上記実開平４−５０８１８号に係る「眼鏡のつる」の問題点を解決した「メガネフレームのツル」に関して平成１５年７月１４日付けで特許出願を行っている(特開２００５−３１４１６号)。
このメガネフレームのツルは、該ツルの先端には耳の外輪又は外輪内側にある窪みに係合するパット等の係合部を備え、該ツルは長さ調整機構を備え、又ツル先端に屈曲又は湾曲して撓み変形に優れた弾性材で構成したアームを設け、そしてアーム先端に上記係合部を取付けた構造としている。
【０００９】
先端のアームにはコイルバネや超弾性材質が使用されることで、係合部は窪みに正しく係合すると共に、ツルのバネ力にて適度な係合力が作用して掛けることが出来る。又、係合部はその向きを変えることが出来、窪みとのフィット感が高くなる。
【００１０】
しかし、コイルバネにてアームを構成する場合、コイルバネは外力の作用で変形することが出来て、伸びたり、曲がったりする。しかしその変形が限界を超えるならば元の形状に戻らない。例えば、何らかの外力が働いてアームが伸び切ってしまったり、極度に曲げられたりすれば、アームの形状も変わって先端に設けている係合部を耳の窪に係合することが出来なくなる。
【特許文献１】実開平４−５０８１８号に係る「眼鏡のつる」
【特許文献２】特開２００５−３１４１６号に係る「メガネフレームのツル」
【発明の開示】
【発明が解決しようとする課題】
【００１１】
このように、短いツルを備えた従来のメガネフレームには上記のごとき問題がある。本発明が解決しようとする課題はこの問題点であり、ツルを短くして耳の窪みに係合する係合部を先端に設けたものであるが、如何なる形状の耳であっても痛みを感じることなく係合して掛け易いメガネフレームのツルを提供する。しかも、係合部を先端に備えたアームが外力の作用で変形して伸び切ったり、曲がって元に戻らないといったことを防止したツルを提供する。ここで、対象とするメガネは老眼鏡に限るものではなく、一般の近眼用メガネやサングラス等も含まれる。特に、運動選手が激しい運動を行っても位置ズレしたり、外れ落ちることのないメガネフレームのツルを提供する。
【課題を解決するための手段】
【００１２】
本発明に係るメガネフレームのツルは、従来のような概略Ｌ形のモダンを挿着せず、耳の外輪又は外輪内側にある窪みに嵌まって係合することが出来る係合部を備えている。しかも、該係合部があらゆる形の耳に合うように次の特徴を備えている。
・  ツルの長さは調整可能な構造としている。ただし、具体的な調整手段は限定しないことにするが、耳外輪内側の窪み形態は色々ある為に、任意の窪みに先端係合部を係合する為に、ツルの長さ調整を可能にしている。
・  ツル先端には屈曲又は湾曲したアームを有し、アームにはパットなどの係合部を取付けている。そしてアームはその位置を変えることが出来るようにツル先端部にスライド部を有し、該スライド部の先端に揺動軸を介してアームを取付けている。スライド部にはバネ力が付勢し、しかも回転することも可能なように取付けられ、その為にアームはツルの長さ方向の位置、並びに向きを変えることが出来ることで係合部は耳の窪みにフィットすると共に、適度な圧力が付加される。又上記スライド部にアームが揺動することなく取付けることもある。
(３)  係合部の形態は自由であるが、アーム先端に取付けられてその向きを変えることが出来る。従って、耳の窪みの内側形状に馴染んで係合し得る。
【発明の効果】
【００１３】
本発明のメガネフレームのツルは、その先端にパット等の係合部を有し、この係合部は耳の外輪又は外輪内側の窪みに嵌まって係合することが出来る。ツルはその長さが調整され、またツル先端から屈曲又は湾曲したアームに係合部を備えている。そしてアームにはフロント部側(正面側)へ向いて働くバネ力が付勢されている。従って、ツル先端の係合部は耳の窪みに正しく係合し、該窪みに痛みを与えることもなく、顔に掛けたメガネは安定する。従って、該メガネを掛けて運動しても該メガネが位置ズレしたり外れ落ちることはなく、特にスポーツ選手にとって有用なメガネとなる。
【００１４】
又、係合部はその向きを変えることが出来、しかも柔らかい樹脂が用いられるなど、窪みとのフィット感が高く、又表面にはカバーを取付けることで汚れた場合には交換できる。そして、従来のツルに比較して短く、ツルを折畳んだ場合にメガネはコンパクト化する。従って、常に携帯する老眼鏡の場合には、嵩張らない為に持ち運びが便利である。
【実施例】
【００１５】
図１は本発明に係るツルを備えたメガネフレームを示している平面図である。同図の１はレンズが嵌まるリム、２は連結部材、３はヨロイ、４はツルを表していて、両リム１，１は連結部材２の両サイドにロウ付けされ、リム１，１の外側には上記ヨロイ３，３がロウ付けにて固定されている。そして、ヨロイ３，３の先端に設けている継手５，５を介して上記ツル４，４が折畳み出来るように取付けられている。
【００１６】
ところで、ツル４の先端には一般的なメガネフレームのような樹脂製のモダンを備えておらず、耳の窪みに嵌るパット６，６を取付けている。その為に、ツル４，４の長さは短くなっている。しかし、該パット６，６が耳の窪みに嵌ることが出来るようにその長さは調整可能な構造としている。ここで、上記パット６，６は耳の窪みに嵌ることが出来る係合部は１形態に過ぎず、その材質は樹脂製とし、しかも柔らかい軟質樹脂が使用される。
【００１７】
該パット６，６は耳の窪みに嵌ることで従来のモダンのように位置ズレすることはなく、比較的激しい運動を行った場合でもメガネの位置ズレを防止し、勿論外れ落ちることはない。そして、パット６，６の形状も限定されず、痛みを伴うことなく窪みに係合することが出来るように適度な丸みを形成している。又、ツル４の材質は問わないが、従来のメガネフレーム用ツルと同じ材質でよく、パット６，６が耳の窪みに嵌まっても痛みを感じないように適度な撓み変形が出来る弾性を備える方がよい。弾力性に優れていないツル材質が用いられた場合には、上記継手５，５としてバネ蝶番を使用することもある。該バネ蝶番とは周知の通り、メガネを掛ける際にツル４を開いた状態から、該ツル４を外方向へ押し開くことが出来るように構成し、その為にパット６，６は適度な押圧力にて耳の窪みに嵌まって係合することが出来る。
【００１８】
図１に示す実施例では、ツル先端に概略Ｌ形をしたアーム７が取付けられ、耳の窪みに嵌るパット６は該アーム先端に取付けられている。ここで、パット６の位置を調整できるように、ツル４の先端部には長さ調整部８が設けられ、アーム７はパット６が耳の窪みに嵌るようにその位置を調整することが出来る。
【００１９】
同図のA部拡大図を示しているのが図２であり、アーム７が回転した位置をそれぞれ表している。(ａ)はメガネを掛ける際に耳の窪みに嵌ることが出来る通常位置であり、(ｂ)は反時計方向に約４５°回転した位置、(ｃ)は時計方向に約４５°回転した位置、(ｄ)は反時計方向に約１８０°回転した位置を表している。このように、アーム７は揺動軸９を中心として回転することが出来るように軸支されている。
【００２０】
しかし、アーム７の基部１０は揺動軸９と同心を成した円形ではなく、平坦面１１ａ，１１ｂ，１１ｃを形成している。その為に、アーム７が回転する際には揺動軸９の位置がツル先端から離れるように成っている。図３はアーム７の連結構造を表しているが、ツル先端部に設けているスライド軸１２の先端軸受け部１３に揺動軸９が取付けられ、該揺動軸９にアーム７を軸支している。
【００２１】
ツル先端部には収容空間１４が形成され、この収容空間１４にはコイルバネ１５を収容している。そしてコイルバネ１５の軸穴に上記スライド軸１２が挿通し、スライド軸１２の先端には収容空間一杯の受け１６を設けている。そこで、アーム７が揺動するならば、例えば同図(ｂ)のように回転することでスライド軸１２は同図の右方向へ引っ張られる。
【００２２】
このように、スライド軸１２がスライドして揺動軸９がツル先端面１７から離れることで該アーム７は回転揺動することが出来る。そして、コイルバネ１５は常に圧縮状態にあって受け１６を押圧し、スライド軸１２及び揺動軸９には左方向(正面側)へ働くバネ力を付勢している。従って、図２(ａ)の場合には平坦面１１ａがツル先端面１７に当って安定し、図２(ｄ)の場合には平坦面１１ｃがツル先端面１７に当って安定する。
【００２３】
メガネを掛けている場合には図２(ａ)の状態でパット６が耳の窪みに嵌っているが、メガネを外す際にフロント部を正面側へ引くならば図２(ｂ)のようにアーム７は回転する。揺動軸９は図３に示しているようにコイルバネ１５のバネ力にて左方向へ引っ張られてアーム７の平坦面１１ａがツル先端面１７に当って安定するが、メガネを掛ける際には耳の窪みにパット６をより安定して嵌める為に、平坦面１１ａがツル先端面１７から僅かに離れた状態とすることもある。従って、メガネを掛けて激しい運動を行っても該メガネの位置ズレは生じない。
【００２４】
図４は長さ調整部８を表しているが、パット６が耳の窪みに嵌るようにツル４の長さは調整できる構造としている。ツル先端部にはパイプ１８が設けられ、このパイプ１８の穴には軸１９が嵌ってスライド可能としている。すなわち、パイプ先端から延びる軸１９の長さを調整することでアーム７及びパット６の位置を定めている。パイプ１８の先端には締付けナット２０が螺合しており、軸１９の長さを定めたところで該締付けナット２０を締付けて固定することが出来る。勿論、同図に示す長さ調整部８の長さ調整機構は１具体例に過ぎない。
【００２５】
図５は本発明に係るツルを示す他の実施例である。ツル先端には同じくアーム２１が設けられ、該アーム先端には耳の窪みに嵌るパット６が取付けられている。ツル先端部には長さ調整部２２を有し、パット６が耳の窪みに嵌ることが出来るように調整される。ツル先端に取付けているアーム２１は前記図２のアーム７のように回転・揺動することはないが、長手方向へスライドすることが出来る構造となっている。
【００２６】
概略Ｌ形のアーム２１の基部はスライダー２３に取着され、このスライダー２３と共にツルに沿って長手方向へ移動することが出来る。ツルの先端部は図６に示すようにコイルバネ１５が収容され、そしてコイルバネ１５の軸穴にはガイド軸２４が挿通して設けられている。このガイド軸２４と共にスライダー２３に取着している受け２５が先端方向へスライドし、コイルバネ１５を圧縮することが出来る。
【００２７】
該コイルバネ１５は常に圧縮された状態にあって、受け２５にバネ力を付勢し、パット６の位置を定めている。メガネを掛ける際にパット６を耳の窪みに嵌めるが、この際アーム２１を僅かにツル先端方向を移動した状態とする。そこで、耳の窪みには僅かなバネ力が付勢してパット６が窪みから外れることはなく、メガネの位置ズレを防止し、外れ落ちを防ぐことが出来る。
【００２８】
ところで、スライダー２３がツルに沿ってスライドする機構は図６に示す場合に限るものではなく、そしてガイド手段もガイド軸２４に限るものではない。図５のようにアーム２１をスライダー２３に取着した構造ではなく、図６に示すごとく一体化した部品として構成することは自由である。
【００２９】
本発明では、アーム７，２１の先端にパット６が取付けられ、該パット６は耳の窪みに嵌ることが出来る。そこで、該パット６は窪みになじむことが出来るように軟らかい樹脂が用いられているが、例えば図４に示すパット６において黒塗りしている先端部側２６と白抜きしている後端部側２７では、先端部側２６の材質をより軟らかくしている。アーム７の先端には例えば寸法を大きくしたリング状の嵌合部が形成され、この先端嵌合部からパット６が外れないように後端部側２７の材質を先端部側２６に比較して少し硬くしている。具体的な材質は限定しないが、先端部側２６の材質として、例えばスポンジのようなものが用いられる。
【００３０】
図７は本発明に係る他の実施例であり、ツル先端部は内側へ屈曲してＬ形と成っている。そして屈曲部２８の内部は前記図３に示した構造と同じであり、該屈曲部２８にはコイルバネ１５が収容されてバネ力にてアーム２９は屈曲部側に引き寄せられている。
【図面の簡単な説明】
【００３１】
【図１】本発明のツルを備えたメガネ。
【図２】ツル先端に取付けたアームの動作。
【図３】アームを取付けているツル先端部の構造。
【図４】ツルに設けた長さ調整部。
【図５】ツル先端に取付けた別形態のアーム。
【図６】アームをスライドする機構。
【図７】ツル先端部を内側へ屈曲してアームを取付けている場合。
【符号の説明】
【００３２】
１  リム
２  連結部材
３  ヨロイ
４  ツル
５  継手
６  パット
７  アーム
８  長さ調整部
９  揺動軸
10  基部
11  平坦面
12  スライド軸
13  軸受け部
14  収容空間
15  コイルバネ
16  受け
17  先端面
18  パイプ
19  軸
20  締付けナット
21  アーム
22  長さ調整部
23  スライダー
24  ガイド軸
25  受け
26  先端部側
27  後端部側
28  屈曲部
29  アーム
【図１】
2007286473.tif 000003
【図２】
2007286473.tif 000004
【図３】
2007286473.tif 000005
【図４】
2007286473.tif 000006
【図５】
2007286473.tif 000007
【図６】
2007286473.tif 000008
【図７】
2007286473.tif 000009